(57)【特許請求の範囲】
【請求項１】
処理すべき表面のタイプを検出する表面タイプ検出器を具えた電気表面処理デバイスであって、前記表面タイプ検出器は、振動発生器と、前記処理すべき表面によって反射された空気振動を検出し該空気振動の物理量の値を測定する振動検出器とを具え、前記振動検出器は、前記物理量の値によって決定され前記処理すべき表面のタイプの特性を示す出力信号を供給し、前記振動発生器は、動作中に前記空気振動を断続的に発生し、前記表面タイプ検出器は並列回路を具え、前記振動発生器によって発生された前記空気振動の一部が、前記並列回路を経て、前記振動検出器に直接伝えられ、前記並列回路は、前記空気振動の前記一部と前記反射された空気振動とが異なる瞬間に前記振動検出器に到達する長さを有し、且つ前記振動検出器は、前記空気振動の前記一部と前記反射された空気振動とを同一の部品を用いて検出する、電気表面処理デバイス。
【請求項２】
前記振動発生器は、動作中に所定の範囲内で変化する周波数を有する空気振動を発生する、請求項１に記載の電気表面処理デバイス。
【請求項３】
前記振動検出器は、圧電振動検出器を具えている、請求項１に記載の電気表面処理デバイス。
【請求項４】
前記振動発生器は、圧電振動発生器を具えている、請求項１に記載の電気表面処理デバイス。
【請求項５】
前記振動発生器は前記振動検出器を含んでおり、それにより前記振動発生器は前記振動検出器を形成するように切り替え可能である、請求項１に記載の電気表面処理デバイス。
【請求項６】
前記振動発生器と前記振動検出器とが、約９０°の角度で互いに対向している、請求項１に記載の電気表面処理デバイス。
【請求項７】
前記表面タイプ検出器は、前記振動発生器によって発生された前記空気振動を、前記処理すべき表面の方に反射させるための第１の反射器と、前記処理すべき表面によって反射された前記空気振動を、前記振動検出器の方に反射させるための第２の反射器とを具えている、請求項１に記載の電気表面処理デバイス。
【請求項８】
前記振動発生器は前記振動検出器を含んでおり、それにより前記振動発生器は前記振動検出器を形成するように切り替え可能であり、前記並列回路は、デッドエンドを有し、且つ該デッドエンド付近に、当該並列回路内に伝えられた前記空気振動を逆反射するためのエンドリフレクタを具えている、請求項１に記載の電気表面処理デバイス。
【請求項９】
請求項１乃至８のいずれか１項に記載の電気表面処理デバイスにて使用されるアタッチメントであって、前記表面タイプ検出器を具えた吸引ノズルを有する、アタッチメント。
【請求項１０】
前記表面タイプ検出器の前記振動発生器及び前記振動検出器が、動作中に、前記処理すべき表面と、前記アタッチメントの前記吸引ノズルの下側とによって画成される検出空所に位置付けられる、請求項９に記載のアタッチメント。
【請求項１１】
前記振動発生器及び前記振動検出器が、前記吸引ノズルの前記下側に設けられた凹所の中に位置付けられる、請求項１０に記載のアタッチメント。
【請求項１２】
前記振動発生器及び前記振動検出器が、前記吸引ノズルの前記下側に設けられた別個のチャネルタイプのキャビティ内に、各々収納されている、請求項１０に記載のアタッチメント。
【発明の詳細な説明】
【技術分野】
【０００１】
本発明は、処理すべき表面のタイプを検出するための表面タイプ検出器を具える電気表面処理デバイスに関するものであり、この表面タイプ検出器は、処理すべき表面によって反射される空気振動を検出するための振動検出器を具え、且つ動作中に、処理すべき表面のタイプの特性を示す出力信号を供給するものである。
【０００２】
本発明はまた、本発明による電気表面処理デバイスに使用するのに好適なアタッチメントにも関するものである。
【背景技術】
【０００３】
冒頭に述べた種類の電気表面処理デバイスであって、真空掃除機として構成され、且つ第２の段落に述べた吸引アタッチメントとして構成される種類のアタッチメントを具えているものは、欧州特許出願公開明細書ＥＰ−Ａ−０  ３７２  ９０３から既知である。既知の真空掃除機の表面タイプ検出器は、真空掃除機の吸引アタッチメントの中に収納されている音響式表面タイプ検出器である。この表面タイプ検出器の振動検出器は超音波システムの一部を形成し、このシステムにより、浄化すべき表面と吸引アタッチメントの吸引ノズルの下側との間の、動作中における距離を測定することが可能となる。超音波システムが比較的大きな距離を測定する場合は、表面タイプ検出器は、堅く滑らかな床の特性を示す出力信号を供給する。浄化すべき表面がカーペットの場合には、吸引ノズルの下側を越えて突出している吸引ノズルの縁部がカーペットの中に部分的に沈み込むため、超音波システムは比較的短い距離を測定することになる。この場合には、表面タイプ検出器はカーペットの特性を示す出力信号を供給する。既知の真空掃除機における表面タイプ検出器の出力信号は、吸引ノズルの中に配置したブラシを回転させる電気モータを制御し、且つ真空掃除機の光学式ダスト検出器の感度を制御するのに用いられる。
【０００４】
既知の電気表面処理デバイス及び既知のアタッチメントの欠点は、それに使用される表面タイプ検出器が限られた識別能力しか持たないことにあり、前記表面タイプ検出器は、実質上専ら、堅く滑らかな床の特性を示す出力信号と、カーペットの特性を示す出力信号だけしか供給することができない。
【発明の開示】
【発明が解決しようとする課題】
【０００５】
本発明の目的は、可能な限り優れた識別能力を有する表面タイプ検出器を具えた、冒頭にて述べた種類の電気表面処理デバイス及びアタッチメントを提供することにある。
【課題を解決するための手段】
【０００６】
この目的のために、本発明による電気表面処理デバイスは、前記出力信号を、処理すべき表面によって反射される空気振動の物理量の値により決定し、該物理量の値は振動検出器によって測定し得るようにしたことを特徴とする。
【０００７】
空気振動は、動作中、例えば表面タイプ検出器の振動発生器又は電気表面処理デバイスの中に存在する何らかの他の振動源によって発生される。このような空気振動は、一部は処理すべき表面によって吸収され、一部は処理すべき表面を介して伝達され、また一部は処理すべき表面によって反射される。従って、処理すべき表面によって反射された空気振動の前記物理量は、発生した空気振動の物理量の元の値とは異なる値になる。処理すべき表面による空気振動の吸収、伝達及び反射は、処理すべき表面のタイプに明らかに依存する比率で起こるため、処理すべき表面によって反射される空気振動の前記物理量の値は、処理すべき表面のタイプによって明確に決定され、表面タイプ検出器の前記出力信号から、処理すべき表面のタイプを明確に導き出すことができる。従って、この表面タイプ検出器を、例えば真空掃除機に使用する場合に、堅く滑らかな床とカーペットとを識別するだけでなく、例えば、滑らかな床のタイプやカーペットのタイプをも明確に検出することができる。
【０００８】
本発明による電気表面処理デバイスの特定好適例は、前記物理量が振幅値であり、また表面タイプ検出器が、予定した振幅値を有する空気振動を発生する振動発生器を具えていることを特徴とする。振動発生器によって発生させることのできる空気振動の所定の振幅値はある基準値を成し、表面タイプ検出器は、この基準値と、処理すべき表面によって反射された空気振動の振幅値とを比較することができる。これにより、表面タイプ検出器の正確且つ信頼性のある動作が得られる。
【０００９】
本発明による電気表面処理デバイスの他の好適例は、振動発生器が、動作中に少なくとも１５，０００Ｈｚの周波数の空気振動を発生することを特徴とする。通常の動作状態のもとでは、電気表面処理デバイスは、概して１５，０００Ｈｚに満たない周波数の空気振動を発生することを確かめた。振動発生器が発生する空気振動は少なくとも１５，０００Ｈｚの周波数を有するので、振動発生器は、電気表面処理デバイスの他の部分によって発生される空気振動を打ち消す必要はなく、そのため振動発生器が発生する空気振動の振幅値は制限された状態を維持し得る。さらに、表面タイプ検出器の識別能力は、少なくとも１５，０００Ｈｚの周波数では、それより低い周波数の場合よりもはるかに優れていることを確かめた。さらに、少なくとも１５，０００Ｈｚの周波数の空気振動は、電気表面処理デバイスのユーザにはほとんど聞きとれないか、場合によっては全く聞きとれない。
【００１０】
本発明による電気表面処理デバイスのさらに他の好適例は、振動発生器が、動作中に、所定の範囲内で変化する周波数の空気振動を発生することを特徴とする。この例では、表面タイプ検出器の出力信号は、例えば、処理すべき表面によって反射される空気振動の前記範囲内における平均振幅値又は最大振幅値に相当している。この結果、出力信号は、処理すべき表面のタイプとは別のパラメータ、例えば、振動発生器及び振動検出器と処理すべき表面との距離、振動発生器及び振動検出器が配置されている電気表面処理デバイスの一部分の音響特性、また振動発生器及び振動検出器の温度のようなパラメータに依存しているが、この依存は限られた程度に過ぎないということを確かめた。
【００１１】
本発明による電気表面処理デバイスの他の好適例は、振動検出器が、圧電振動検出器を具えていることを特徴とする。このような圧電振動検出器は、通常の動作状態のもとでは充分に耐久性があり、そして汚染に対して実質上不感応である。
【００１２】
本発明による電気表面処理デバイスの他の好適例は、振動発生器が、圧電振動発生器を具えていることを特徴とする。このような圧電振動発生器は、通常の動作状態のもとでは充分に耐久性があり、そして汚染に対して実質上不感応である。
【００１３】
本発明による電気表面処理デバイスのさらに他の好適例は、振動発生器が振動検出器を具えており、該振動発生器が切り替えをすることで振動検出器を形成するようにできることを特徴とする。これによって表面タイプ検出器のコンポーネントの数は大幅に減少するために、表面タイプ検出器の構成は簡単になる。振動発生器が動作中に切り替えられて振動検出器を形成する際には、直前に振動発生器によって発生されて処理すべき表面によって反射された空気振動は、振動発生器によって検出することができる。
【００１４】
本発明による電気表面処理デバイスの好適例は、振動発生器と振動検出器とが、約９０°の角度で互いに対向していることを特徴とする。このように振動発生器と振動検出器とを相互配置することで、表面タイプ検出器の非常に信頼できる動作が得られることが確かめられた。
【００１５】
本発明による電気表面処理デバイスのさらに他の好適例は、表面タイプ検出器が、振動発生器によって発生された空気振動を処理すべき表面の方へ反射させるための第１の反射器と、処理すべき表面によって反射された空気振動を振動検出器の方へ反射させるための第２の反射器とを具えていることを特徴とする。前記反射器を使用することで、振動発生器及び振動検出器の相互配置に関して、自由度が非常に高まる。この例における振動発生器及び振動検出器は、例えばすぐ近くに隣接して相互に位置させることができる。
【００１６】
本発明による電気表面処理デバイスのさらに他の好適例は、振動発生器が、動作中に空気振動を断続的に発生することを特徴とする。この例では、振動発生器が常に、非常に短期間の空気振動を発生するため、発生した空気振動と反射された空気との干渉は、動作中可能な限り防止される。振動発生器が中断なく空気振動を発生する際に生じるこのような干渉は、あるパターンを有し、このパターンは、表面タイプ検出器及び処理すべき表面の音響特性が比較的小さな変化をしたことに伴い、比較的大きく変化してしまう。さらに、前記パターン内においては、空気振動の振幅値に大きな差が生じる。従って、前記干渉は、表面タイプ検出器の正確さ及び信頼性にかなりの悪影響を及ぼす。振動発生器による空気振動が断続的に発生することで、そのような干渉が防止されるため、表面タイプ検出器の正確さ及び信頼性は大いに改善される。この例における振動発生器は、毎回、比較的短期間中に空気振動を発生するため、振動発生器が振動検出器の機能に切り替えられるものである場合には、振動発生器は、残り時間には振動検出器として使用することができる。
【００１７】
本発明による電気表面処理デバイスの他の好適例は、表面タイプ検出器が並列回路を具え、この回路を介して、振動発生器によって発生される空気振動の一部分を、振動検出器に直接導くことができるようにすることを特徴とする。振動発生器及び振動検出器の特性は、エイジングと温度変動により変化することがある。断続的に発生されて動作中に並列回路を介して伝えられる空気振動の一部分と、断続的に発生されて動作中に処理すべき表面を介して導かれる空気振動の一部分とは、種々の瞬時に振動検出器に達する。これにより、振動検出器は、処理すべき表面によって反射された空気振動の振幅値と、発生された空気振動の元の振幅値との比率を測定することができる。前記比率は、振動発生器及び振動検出器の温度にも、またそれらの如何なるエイジングにもほぼ無関係である。このように、並列回路を介して伝えられる空気振動は、ある基準値としての役割を果たし、表面タイプ検出器は、この基準値と、処理すべき表面によって反射された空気振動の振幅値とを比較することができる。
【００１８】
本発明による電気表面処理デバイスの他の好適例は、並列回路がデッドエンドを有し、このデッドエンド付近に、並列回路に伝えられる空気振動を逆反射させるエンドリフレクタが設けられていることを特徴とする。この例においては、断続的に空気振動を発生し、且つ振動検出器を成すように切り替えることができる振動発生器を使用する。動作中に並列回路を経て伝えられる空気振動の部分は、エンドリフレクタによって並列回路へと逆反射され、且つすでに振動検出器に切り替えられている振動発生器に達して、その結果ある基準値を成す。このようにして、表面タイプ検出器の特に簡単で実用的な構成が得られる。
【００１９】
本発明による電気表面処理デバイスに使用するのに好適な、本発明によるアタッチメントは、表面タイプ検出器が、アタッチメントの吸引ノズルの中に収納されていることを特徴とする。表面タイプ検出器は、アタッチメントの吸引ノズルの中に収納されているため、表面タイプ検出器は処理すべき表面のすぐ近くにあり、従って表面タイプ検出器の信頼できる動作が達成される。
【００２０】
本発明による電気表面処理デバイスに使用するのに好適であり、当該デバイスに使用される表面タイプ検出器が所定の振幅値を有する空気振動を発生する振動発生器を具えているアタッチメントは、表面タイプ検出器の振動発生器及び振動検出器が、動作中に、処理すべき表面とアタッチメントの吸引ノズルの下側とによって画成される検出空所内に位置付けられていることを特徴とする。振動発生器及び振動検出器が前記検出空所内に位置付けられるため、振動発生器及び振動検出器は処理すべき表面のすぐ近くにあり、従って、表面タイプ検出器の信頼性のある動作が達成される。前記検出空所の音響特性は、動作中に処理すべき表面のタイプによって大きく影響されるため、表面タイプ検出器は強い識別能力を有することになる。
【００２１】
本発明によるアタッチメントの好適例は、振動発生器及び振動検出器が吸引ノズルの下側に設けられた凹所内に位置付けられることを特徴とする。前記凹所を使用することで、表面タイプ検出器の検出空所は拡張し、それにより検出空所の音響特性は影響される。前記凹所を適切な形状にすることにより、表面タイプ検出器の音響特性は最適化される。
【００２２】
本発明によるアタッチメントの他の好適例は、振動発生器及び振動検出器が、各々吸引ノズルの下側に設けられた、別個のチャネルタイプのキャビティ内に収納されていることを特徴とする。前記別個のチャネルタイプのキャビティを使用することで、動作中に振動発生器によって発生された空気振動が、処理すべき表面によってほぼ完全に反射されるため、振動発生器から振動検出器への直接のクロストークが大いに抑制される。
【発明を実施するための最良の形態】
【００２３】
以下、本発明を図面につき詳細に説明する。
【００２４】
図１に示す本発明による電気表面処理デバイスは、表面を掃除する真空掃除機である。図示の真空掃除機は、多数のホイール３によって、掃除すべき表面５上を移動可能なハウジング１を具えている、いわゆるフロアタイプの真空掃除機である。ハウジング１内には電気吸引ユニット７が配置され、これは図１においてのみ概略的に示してある。この真空掃除機はさらに、吸引ノズル１１と、中空のチューブ１３と、ハンドル１５とを具えている吸引アタッチメント９として構成される、本発明によるアタッチメントを具えている。ハンドル１５は、第１の結合部１７によってフレキシブルホース１９に脱着自在に結合されており、またフレキシブルホース１９は、第２の結合部２１によって、ハウジング１に設けた吸引開口部２３と脱着自在に結合される。吸引開口部２３は、ハウジング１のダストチェンバ２５内に通じており、このダストチェンバ２５は、フィルタ２７を介して吸引ユニット７に接続されている。動作中には、真空掃除機の吸引ノズル１１、中空のチューブ１３、フレキシブルホース１９、吸引開口部２３及びダストチェンバ２５を含む吸引チャネル内の圧力を、吸引ユニット７によって下げる。掃除すべき表面５上に存在する塵とゴミの粒子は、前記低圧の影響下で吸引アタッチメント９及びフレキシブルホース１９を経て、ダストチェンバ２５内に吸引される。
【００２５】
図２に示すように、吸引アタッチメント９の吸引ノズル１１は、浄化すべき表面５のタイプを検出するための表面タイプ検出器２９を具えている。図２においてのみ概略的に示し、且つ後にさらに詳述する表面タイプ検出器２９は、動作中に、浄化すべき表面タイプの特性を示す出力信号ＵFTを、同じく吸引ノズル１１内に位置付けられる電気コントローラ３１に転送する。吸引ノズル１１にはさらに、電気モータ３５によって駆動される、回転自在のブラシ３３が設けられている。コントローラ３１は、動作中に、電気モータ３５及びブラシ３３の速度を、出力信号ＵFTの関数として制御する。従って、ブラシ３３の速度は、浄化すべき表面５のタイプに適合させることができ、その結果、真空掃除機の掃除する機能は向上する。なお、真空掃除機の動作は、表面タイプ検出器２９の出力信号ＵFTによって別の態様で制御することもできる。例えば、真空掃除機に、ハウジング１内に収納したコントローラを設け、これによって、吸引ユニット７の吸引力を出力信号ＵFTの関数として制御することができる。
【００２６】
図３に示す、第１の実施例の表面タイプ検出器２９は、圧電振動発生器３７及び圧電振動検出器３９と具えており、これらは本来、通常の既知のものである。吸引ノズル１１の下側４１には、振動発生器３７と振動検出器３９とが設けられ、これらの振動発生器３７と振動検出器３９とが約９０°の角度で互いに対向するようにしてある。動作中、振動発生器３７は、所定のほぼ一定の振幅値を有する空気振動４３を発生する。このために、表面タイプ検出器２９は、動作中に、所定の振幅値に対応する出力信号ＵREFを振動発生器３７に供給する電気制御部材４５を具えている。吸引ノズル１１の下側４１は検出空所４７を画成し、この空所４７は、動作中は浄化すべき表面５によっても画成される。振動発生器３７は検出空所４７の方を向いているので、動作中に振動発生器３７によって発生される空気振動４３は検出空所４７内を伝播する。図３に示すように、空気振動４３は、浄化すべき表面５と吸引ノズル１１の下側４１とによって検出空所４７内で反射され、この反射された空気振動４９は振動検出器３９によって検出され、この振動検出器３９は、反射した空気振動４９の振幅値に相当する出力信号ＵDETを供給する。振動発生器３７によって発生された空気振動４３は、一部は浄化すべき表面５によって吸収され、そして一部は浄化すべき表面５を経て、浄化すべき表面５の下方にある基面に伝達される。その結果、空気振動４３は浄化すべき表面５によって部分的にのみ反射されるので、振動検出器３９が測定する、反射空気振動４９の振幅値は、振動発生器３７によって発生された空気振動４３の、元の予定した振幅値よりもはるかに小さくなる。発生された空気振動４３が、浄化すべき表面５によって吸収され、伝達され、且つ反射される比率は、浄化すべき表面５のタイプに大いに依存するので、反射された空気振動４９の振幅値もまた、浄化すべき表面５のタイプに大いに依存する。振動発生器３７が前記所定の振幅値を有する空気振動を発生する際に生じる、反射空気振動４９の振幅値のうち、実験的に確かめた多数の値は、浄化すべき表面５の多数のタイプについて、電気制御部材４５内に格納される。従って、前記所定の振幅値はある基準値を成し、この基準値に関連して、様々なタイプの浄化すべき表面５によって、反射される空気振動４９の振幅値が識別される。制御部材４５は、動作中に出力信号ＵDETと前記格納した値とを比較し、そしてこの比較結果から、当面のタイプの浄化すべき表面５を特定する。振動検出器３９の出力信号ＵDETは浄化すべき表面５のタイプに大いに依存し、且つ表面タイプ検出器２９の出力信号ＵFTは出力信号ＵDETによって決まるため、表面タイプ検出器２９は強い識別能力を有するので、表面タイプ検出器２９によって、堅く滑らかな床とカーペットとの識別をし得るだけでなく、例えば、石敷や板張りの床のような多様な滑らかな床の中での識別や、様々な種類のカーペットや畳の中での識別までもが可能となる。振動発生器３７及び振動検出器３９は、上述の吸引ノズル１１の検出空所４７内に配置され、従って浄化すべき表面５のすぐ近くにあるため、表面タイプ検出器２９の信頼できる動作が達成される。
【００２７】
発生される空気振動４３は、少なくとも１５，０００Ｈｚ、例えば、約４０，０００Ｈｚの周波数を有するのが好ましい。このような周波数の空気振動は、真空掃除機のユーザには、全く又はほとんど聞こえず、さらに１５，０００Ｈｚに満たない周波数を用いた場合よりも、大幅に優れた識別能力が得られる。真空掃除機に存在する通常の音響源、例えば吸引ユニット７、ブラシ３３、及び電気モータ３５等は、検出空所４７内において、１５，０００Ｈｚ以下の周波数を有する空気振動を発生することを確かめた。振動発生器３７が発生する空気振動４３は、少なくとも１５，０００Ｈｚの周波数を有するので、表面タイプ検出器２９の動作は、真空掃除機の他のコンポーネントによって発生される空気振動によっては実質上影響されることはない。さらに、振動発生器３７が、前記他のコンポーネントの空気振動を打ち消す必要がないため、振動発生器３７によって発生される空気振動４３の所定の振幅値は、制限された状態を維持し得る。
【００２８】
振動発生器３７が発生する空気振動４３は、ほぼ一定の周波数を有している。しかしながら、表面タイプ検出器２９の出力信号ＵFTは、この場合の振動発生器３７及び振動検出器３９の温度と、検出空所４７の音響部分とに多少左右されることを確かめた。例えば検出空所４７の汚れのため、又は吸引ノズル１１の下側４１と浄化すべき表面５との距離が変化するために、前記音響特性は変化し、このような変化は、たいていは浄化すべき表面５がディープパイルのカーペットである場合に生じがちである。このように他の音響源に依存する状態は、表面タイプ検出器２９の信頼性を損ない、且つそれは本発明によれば、振動発生器３７が、例えば３６，０００Ｈｚから４０，０００Ｈｚまでの範囲のような、所定の範囲内で変化する周波数での空気振動４３を発生するように、動作中に制御部材４５が振動発生器３７を制御することで、斯様な依存性を低減させることができる。そのような変形例では、制御部材４５は、振動検出器３９の出力信号ＵDETから、例えば反射された空気振動４９の平均振幅値又は最大振幅値を前記範囲内で求め、且つ制御部材４５は、こうして求められた平均や最大の振幅値を、浄化すべき表面５の多数の種々のタイプについて制御部材４５内に格納されている反射空気振動の振幅値の実験的に確かめた平均値又は最大値と比較する。
【００２９】
図４〜８に示す本発明による表面タイプ検出器の第２、第３、第４、第５及び第６の実施例において、上述した表面タイプ検出器２９のコンポーネントに対応するものには、同じ参照番号を付して示してある。図４に概略的に示した、本発明による吸引アタッチメント９で使用する、第２の実施例の表面タイプ検出器５１においては、振動発生器３７及び振動検出器３９は、吸引ノズル１１の下側４１に設けられた凹所５３内に収納されている。凹所５３を使用することで、表面タイプ検出器５１は、上述した表面タイプ検出器２９の検出空所４７よりも、検出空所５５がかなり大きくなる。図４に概略的に示すように、動作中に振動検出器３９に達する空気振動５７は、浄化すべき表面５によって実質上専ら反射され、且つ検出空所５５の壁部によっては実質上反射されなくなる。これにより、振動検出器３９に達する空気振動５７の振幅値が、検出空所５５の壁部の音響特性によってはほとんど影響されなくなり、これにより表面タイプ検出器５１の信頼性は向上する。
【００３０】
図５に概略的に示す、本発明による吸引アタッチメント９に使用する第３の実施例の表面タイプ検出器５９においては、振動発生器３７及び振動検出器３９は、吸引ノズル１１の下側４１にて、別個のチャネルタイプのキャビティ６１、６３の中に各々収納されている。チャネルタイプのキャビティ６１、６３を使用するため、動作中に、振動発生器３７によって発生された空気振動６５は、浄化すべき表面５の比較的小さな部分６７にほぼ完全に向けられ、前記部分６７からほぼ完全に振動検出器３９まで反射される。これにより、発生された空気振動６５の不所望散乱は、可能な限り防止される。発生された空気振動６５のこのような散乱があると、例えば、振動発振器３７から振動検出器３９への直接クロストークを招くことになり、これは表面タイプ検出器５９の信頼性を著しく損ねることになる。
【００３１】
図６に概略的に示す、本発明による吸引アタッチメント９に使用する第４の実施例の表面タイプ検出器６９においては、振動発生器３７及び振動検出器３９は、互いに逆向きで、且つ上述した表面タイプ検出器５１の場合のように、吸引ノズル１１の下側４１に設けた凹所７１内に配置されている。振動発生器３７に隣接して存在する、凹所７１の第１側壁７３は、表面タイプ検出器６９の第１の反射器を成し、この反射器によって、動作中に振動発生器３７によって発生される空気振動７５は、浄化すべき表面５に反射される。さらに、振動検出器３９に隣接して位置する、凹所７１の第２側壁７７は、表面タイプ検出器６９の第２の反射器を成しており、この反射器によって、浄化すべき表面５により反射された空気振動７９は、振動検出器３９の方へと反射される。前記反射器を使用することによって、振動発生器３７及び振動検出器３９の相互位置に関して、高い自由度が得られる。図６に示す表面タイプ検出器６９においては、この自由度を利用することで、振動発生器３７と振動検出器３９とを相互に隣接して位置させている。
【００３２】
図７に概略的に示す、本発明による吸引アタッチメント９に使用する、第５の実施例の表面タイプ検出器８１においては、振動発生器３７及び振動検出器３９は、上述した表面タイプ検出器５１及び６９の場合のように、吸引ノズル１１の下側４１に設けられた凹所８３内に配置されている。表面タイプ検出器８１の振動発生器３７は、動作中、断続的に空気振動８５を発生し、すなわちこの発生器は、空気振動８５を、毎回短期間に規則的な間隔で発生する。前記時間は充分に短いため、凹所８３及び検出空所５５内においては、発生された空気振動８５と反射される空気振動８７との干渉は、ほとんど生じなくなる。発生された空気振動８５は、動作中に、振動発生器３７から直接浄化すべき表面５に、そして浄化すべき表面５から直接振動検出器３９に全てが向けられるのではなく、実際は部分的に他の方向に散乱されるため、振動発生器３７が中断なく空気振動８５を発生する場合、凹所８３及び検出空所５５内において、発生された空気振動８５と反射された空気振動８７との干渉が生じることになる。このような干渉はあるパターンを有し、そのパターンは、例えば、検出空所５５の汚れのため、或いは浄化すべき表面５と振動発生器３７及び振動検出器３９との距離が変動するために生じる、検出空所５５の音響特性の比較的小さな変化に伴って、比較的大きく変化してしまう。さらに、前記パターン内で、空気振動の振幅値には相当大きな差異が生じる。従って、このような干渉は、表面タイプ検出器８１の正確さ及び信頼性に悪影響を及ぼすことになる。表面タイプ検出器８１の振動発生器３７は、常に、比較的短期間しか空気振動８５を発生しないため、直接発生された空気振動８５は、常に、反射される空気振動８７が直接発生された空気振動８５と干渉し得る前に、すでに消失されてしまう。発生された空気振動８５と反射される空気振動８７との間の前記不都合な干渉は、かくして実質上抑制されるため、表面タイプ検出器８１の信頼性及び正確さは、大幅に改善される。図７に示すように、表面タイプ検出器８１には、さらに並列回路８９が設けられ、これは、振動発生器３７が収納されているキャビティ９１と、振動検出器３９が収納されているキャビティ９３とを接続している。振動発生器３７によって発生された空気振動の一部分８５’は、動作中、振動発生器３７から振動検出器３９まで並列回路８９を経て直接に、すなわち浄化すべき表面５を介さないで伝えられる。圧電振動発生器３７及び圧電振動検出器３９は充分に耐久性があり、そして通常の動作状態のもとでは汚染に対して実質上不感応である。しかしながら、圧電振動発生器３７及び圧電振動検出器３９の特性は、圧電材料のエイジングのため及び温度変動のために変化し得る。並列回路８９を使用することで、反射された空気振動８７の振幅値（出力信号ＵDET）と、発生された空気振動８５’の元の振幅値（出力信号ＵDET,0）との双方を、振動検出器３９によって測定することができる。このために並列回路８９の長さは、元の、断続的に発生される空気振動８５’と、反射される空気振動８７とが、常に異なる瞬間に振動検出器３９に到達するようにしてある。制御部材４５は、出力信号ＵDETとＵDET,0との比を決定し、こうし��決定した比を、反射される空気振動の振幅値と発生される空気振動の元の振幅値との間の、実験的に確かめた比率と比較する。この実験的に確かめた比率は、多数の様々なタイプの浄化すべき表面５について、制御部材４５内に格納されている。前記比率は、温度や、振動発生器３７及び振動検出器３９の何れのエイジングについてもほぼ無関係であるため、このように並列回路８９を使用することで、表面タイプ検出器８１の信頼性は一層向上する。
【００３３】
図８に概略的に示した、本発明による吸引アタッチメント９にて使用する第６の実施例の表面タイプ検出器９５には、圧電振動発生器９７が設けられており、これは本来、通常の既知のものであり、且つこれは振動検出器を形成するように切り替えることができる。このように振動発生器９７は同時に振動検出器を構成するため、表面タイプ検出器９５のコンポーネントの数はかなり減少され、表面タイプ検出器９５の構成は著しく単純化される。振動発生器９７は、動作中に、上述の表面タイプ検出器８１の振動発生器３７と同様に、断続的に空気振動９９を発生する。短期間中に発生される空気振動９９は、常に、主チャネル１０１を経て浄化すべき表面５に伝えられ、浄化すべき表面５によって反射され、且つ主チャネル１０１を経て振動発生器９７へと逆案内され、その間に振動発生器９７は、振動検出器を形成すべく切り替えられる。表面タイプ検出器９５には、上述の表面タイプ検出器８１のように、並列回路１０３が設けられている。図８に概略的に示したように、並列回路１０３はデッドエンドを形成し、そしてこのデッドエンドに隣接して、エンドリフレクタ１０５が設けられている。動作中、振動発生器９７によって短期間中に発生される空気振動の一部分９９’は、並列回路１０３へと案内され、且つ並列回路１０３のエンドリフレクタ１０５によって、振動発生器９７まで反射され、その間に振動発生器９７は、振動検出器を形成すべく切り替えられる。並列回路１０３の長さは、エンドリフレクタ１０５によって反射された空気振動１０７’と、浄化すべき表面５によって反射された空気振動１０７とが、異なる瞬時に振動発生器９７に達するような長さにして、振動発生器９７は、上述した表面タイプ検出器８１の振動検出器３９のように、浄化すべき表面５によって反射された空気振動１０７の振幅値と、振動発生器９７によって発生される空気振動９９’の元の振幅値との比率を測定することができるようになる。
【００３４】
なお、本発明は、真空掃除機だけでなく、処理すべき表面のタイプを検出するための表面タイプ検出器を具える、様々な種類の電気表面処理デバイスにも関するものである。この例を挙げると、電気磨き機、床用電気モップ、電気スチームクリーナ、及び電気シャンプーデバイスなどがある。本発明による、このような電気表面処理デバイスにおいては、表面タイプ検出機の出力信号は、例えば、表面処理デバイスの動作を制御する電気制御部材に供給される。電気磨きデバイスでは、例えば、磨きデバイスの磨きブラシの回転速度を、表面タイプ検出器の出力信号の関数として制御することができ、また、例えば電気スチームクリーナや電気シャンプーデバイスでは、供給されるべきスチームの量及びシャンプーの量を、それぞれ、表面タイプ検出器の出力信号の関数として制御することができる。
【００３５】
上述した真空掃除機はフロアタイプの真空掃除機である。なお本発明は、吸引ノズルがチューブを介してハンドルに結合され、同時に吸引ユニットを内蔵したハウジングが前記チューブに嵌合される、いわゆる縦型掃除機も網羅するものである。また本発明は、例えば、一個又は複数個の吸引アタッチメントを、建物に内蔵した吸引ラインの固定システムの多数の吸引接続ポイントに接続し得る、中央真空掃除設備にも関するものである。
【００３６】
さらにまた、上述した振幅値の代わりに、処理すべき表面によって反射される空気振動の、振幅値とは異なる物理量もまた、本発明による振動検出器によって測定し得る。従って、例えば、振動検出器が、処理すべき表面によって反射された空気振動の周波数スペクトルを測定し得るようにもできる。他の例として、振動している空気の粒子の振動速度を測定することもできる。
【００３７】
さらに、本発明によれば、表面タイプ検出器は、吸引ノズル１１内以外の位置に配置することもできる。従って、例えば、表面タイプ検出器をハウジング１内に設けることもでき、この場合、振動発生器３７及び振動検出器３９はハウジング１の下側に位置させる。
【００３８】
さらにまた、本発明は、使用する表面タイプ検出器が、別個の振動発生器を具えていない電気表面処理デバイスに関するものである。このような例では、表面タイプ検出器の振動検出器は、例えば、処理すべき表面によって反射される空気振動の振幅値を測定するが、その空気振動は、例えば、真空掃除機の吸引ユニットのような、電気表面処理デバイスの他の音響源から派生する。このような空気振動は、しばしば通常の動作状態のもとでは適度に一定の振幅値を有するため、このような例においては、浄化すべき表面のタイプの、適度に信頼性のある測定が得られる。
【００３９】
最後に、上述した圧電振動発生器３７、９７及び圧電振動検出器３９の代わりに、例えば、本来、通常の既知のものである電気力学振動発生器及び電気力学振動検出器のような、他のタイプの振動発生器及び他のタイプの振動検出器を使用することもできる。
【図面の簡単な説明】
【００４０】
【図１】本発明による電気表面処理デバイスを示す概略図である。
【図２】図１の電気表面処理デバイスに使用される本発明によるアタッチメントの吸引ノズルを示す概略図である。
【図３】図２のアタッチメントに使用される表面タイプ検出器の第１の実施例を示す概略図である。
【図４】図２のアタッチメントに使用される表面タイプ検出器の第２の実施例を示す概略図である。
【図５】図２のアタッチメントに使用される表面タイプ検出器の第３の実施例を示す概略図である。
【図６】図２のアタッチメントに使用される表面タイプ検出器の第４の実施例を示す概略図である。
【図７】図２のアタッチメントに使用される表面タイプ検出器の第５の実施例を示す概略図である。
【図８】図２のアタッチメントに使用される表面タイプ検出器の第６の実施例を示す概略図である。
【図１】
0004829282.tif 000002
【図２】
0004829282.tif 000003
【図３】
0004829282.tif 000004
【図４】
0004829282.tif 000005
【図５】
0004829282.tif 000006
【図６】
0004829282.tif 000007
【図７】
0004829282.tif 000008
【図８】
0004829282.tif 000009